(57)【要約】【課題】組立の手間を容易にした電気機器を提供する。【解決手段】インターホン装置の器体は前面が開口した略箱状のベース２と、ベース２の前面に被着されるカバーとで構成され、ベース２には電気回路の動作を切り替える切替スイッチＳＷ１，ＳＷ２を含む電気部品が実装された回路基板１１が納装される。切替スイッチＳＷ１，ＳＷ２の操作摘み１４には樹脂製の操作ハンドル１３が被せられる。操作ハンドル１３の前面に設けた操作部をベース２の窓孔２ａ内に挿入し、後面に設けた一対の挟持片１３ｄの間に操作摘み１４を挟持させた状態で、ベース２の底壁から立設されたリブ１５ａ〜１５ｃと操作ハンドル１３の後面との間に抜け止め板１６を挿入して、抜け止め板１６を固定すると、抜け止め板１６と窓孔２ａの周縁部との間に操作ハンドル１３の鍔部１３ｃが挟持され、操作ハンドル１３がスライド自在に保持されるのである。【選択図】　　　図１
2004112064.tif 000002
【特許請求の範囲】
【請求項１】
電気回路の動作を切り替えるためのスライドスイッチを少なくとも含む電気部品が実装された回路基板と、前面が開口した略箱状の樹脂製のベース及び後面が開口した略箱状であってベースの開口を塞ぐようにしてベースの前面に被着される樹脂製のカバーからなり、内部に回路基板を収納する器体と、器体の表面に少なくとも一部を露出させた状態で器体にスライド自在に取り付けられた上記スライドスイッチを操作するための操作ハンドルとを備え、前記操作ハンドルは、ベース又はカバーの内の何れか一方の表面に開口する窓孔から前面が露出し、窓孔内にスライド自在に配置される操作部と、操作部の後面から側方に突出して窓孔の縁と係止する鍔部と、操作部の後面から後方に突出して切替スイッチの操作摘みを保持する保持部とを備えており、操作ハンドルの保持部を挿通する切欠部を有し、ベース又はカバーの内の上記窓孔を形成した側に固定されて、窓孔の周縁部との間で操作ハンドルの鍔部を挟持する抜け止め部材を設けて成ることを特徴とする電気機器。
【請求項２】
電気回路の動作を切り替えるためのスライドスイッチを少なくとも含む電気部品が実装された回路基板と、前面が開口した略箱状の樹脂製のベース及び後面が開口した略箱状であってベースの開口を塞ぐようにしてベースの前面に被着される樹脂製のカバーからなり、内部に回路基板を収納する器体と、器体の表面に少なくとも一部を露出させた状態で器体にスライド自在に取り付けられた上記スライドスイッチを操作するための操作ハンドルとを備え、前記操作ハンドルは、ベース又はカバーの内の何れか一方の側壁に沿ってスライド自在に配置されるハンドル本体と、ハンドル本体の一方の端部に設けられ前記側壁の先端縁に設けた係止部に引掛係止される引掛部と、ハンドル本体の一方の面に形成され前記側壁に貫設した窓孔内に挿入される操作部と、ハンドル本体の他方の面に突設され切替スイッチの操作摘みを保持する保持部とを備え、ハンドル本体の操作部を窓孔内に挿入した状態でハンドル本体の他方の端部と係止する係止手段を、ベース又はカバーの内の上記窓孔を形成した側の底壁と一体に形成して成ることを特徴とする電気機器。
【請求項３】
上記電気機器は、通話のためのマイク及びスピーカを具備したインターホン装置からなり、ベース又はカバーの内の何れか一方の側壁に隣接して壁体を設け、当該壁体と側壁との間に挿入されたスピーカを側壁に押し付ける保持ばねを設けて成ることを特徴とする請求項１又は請求項２の何れかに記載の電気機器。
【請求項４】
上記電気機器は、通話のためのマイク及びスピーカを具備したインターホン装置からなり、ベース又はカバーの内の何れか一方の側壁に対向配置されたスピーカを、側壁に押し付ける付勢手段をベース又はカバーの内のスピーカが配置された側と一体に形成して成ることを特徴とする請求項１又は請求項２の何れかに記載の電気機器。
【請求項５】
上記ベースは壁材のような造営材に取り付けられ、ベース又はカバーの内の一方に、撓ませることで対向する部材との間の隙間が広げられる弾性引掛部を設け、対向する部材と弾性引掛部との間の隙間を通してベース又はカバーの内の他方に取り付けられた輪状の吊り紐を挿入し、対向する部材と弾性引掛部との間で吊り紐を引っ掛けて成ることを特徴とする請求項１又は請求項２の何れかに記載の電気機器。
【請求項６】
上記弾性引掛部を複数設け、複数本の吊り紐でベースとカバーとを連結したことを特徴とする請求項５記載の電気機器。
【請求項７】
上記ベースは壁材のような造営材に取り付けられ、取付状態で下側となるベースの部位に、カバーに設けた引掛部と引掛係止する係止部を設けるとともに、取付状態で上側となるベースの部位に、カバーに設けた被嵌合部と嵌合する嵌合部を設けて成ることを特徴とする請求項１又は請求項２の何れかに記載の電気機器。
【発明の詳細な説明】
【０００１】
【発明の属する技術分野】
本発明は、電気機器に関するものである。
【０００２】
【従来の技術】
この種の電気機器としては、例えば特許文献１に示すようなインターホン装置があり、このインターホン装置では、器体を後面側のベースと前面側のカバーとで構成し、ベースとカバーとでスピーカを挟み込むようにして固定していた。
【０００３】
また、従来より電気回路の動作を切り替えるためのスライドスイッチのような切替スイッチを備えた電気機器が提供されている。図２３（ａ）は従来の電気機器の要部の斜視図を、図２３（ｂ）は要部の分解斜視図を、図２４は要部の断面図をそれぞれ示しており、電気機器の器体１００にはスライドスイッチのような切替スイッチ１２１を実装したプリント基板よりなる回路基板１２０が収納されている。
【０００４】
電気機器の器体１００は、前面が開口した略箱状のベース１０１と、後面が開口した略箱状であって、ベース１０１の開口を覆うようにしてベース１０１の前面に被着されるカバー１０２とで構成されている。そして、ベース１０１の側壁１０１ａとカバー１０２の側壁１０２ａとの接合部位には、切替スイッチ１２１の操作摘み１２１ａに被せたスライドハンドル１２２を露出させる透孔１０５を構成する凹部１０５ａ，１０５ｂが形成されている。また、ベース１０１及びカバー１０２の内側面には、凹部１０５ａ，１０５ｂの近傍にリブ１０６，１０７が突設されており、リブ１０６，１０７の先端縁にはスライドハンドル１２２の鍔１２２ａが挿入される切欠部１０６ａ，１０７ａが形成されている。
【０００５】
而して、この電気機器を組み立てる際には、スライドハンドル１２２の鍔１２２ａをリブ１０６，１０７の切欠部１０６ａ，１０７ａに差し込んだ状態で、ベース１０１とカバー１０２とを従来周知の方法で結合すると、上述したスピーカの固定方法と同様に、ベース１０１とカバー１０２との間でスライドハンドル１２２がスライド自在に挟持されるのである。
【０００６】
【特許文献１】
特開平７−１５４４５９号公報（段落番号［００１９］）
【０００７】
【発明が解決しようとする課題】
上述の電気機器では、スライドハンドル１２２をベース１０１とカバー１０２との間で挟み込んでいるので、カバー１０２を開けるとスライドハンドル１２２が外れてしまい、カバー１０２を再度閉じる際にスライドハンドル１２２を組み込む作業が必要になり、組立の手間がかかるという問題があった。
【０００８】
本発明は上記問題点に鑑みて為されたものであり、その目的とするところは、組立の手間を容易にした電気機器を提供することにある。
【０００９】
【課題を解決するための手段】
上記目的を達成するために、請求項１の発明では、電気回路の動作を切り替えるためのスライドスイッチを少なくとも含む電気部品が実装された回路基板と、前面が開口した略箱状の樹脂製のベース及び後面が開口した略箱状であってベースの開口を塞ぐようにしてベースの前面に被着される樹脂製のカバーからなり、内部に回路基板を収納する器体と、器体の表面に少なくとも一部を露出させた状態で器体にスライド自在に取り付けられた上記スライドスイッチを操作するための操作ハンドルとを備え、操作ハンドルは、ベース又はカバーの内の何れか一方の表面に開口する窓孔から前面が露出し、窓孔内にスライド自在に配置される操作部と、操作部の後面から側方に突出して窓孔の縁と係止する鍔部と、操作部の後面から後方に突出して切替スイッチの操作摘みを保持する保持部とを備えており、操作ハンドルの保持部を挿通する切欠部を有し、ベース又はカバーの内の上記窓孔を形成した側に固定されて、窓孔の周縁部との間で操作ハンドルの鍔部を挟持する抜け止め部材を設けて成ることを特徴とする。
【００１０】
請求項２の発明では、電気回路の動作を切り替えるためのスライドスイッチを少なくとも含む電気部品が実装された回路基板と、前面が開口した略箱状の樹脂製のベース及び後面が開口した略箱状であってベースの開口を塞ぐようにしてベースの前面に被着される樹脂製のカバーからなり、内部に回路基板を収納する器体と、器体の表面に少なくとも一部を露出させた状態で器体にスライド自在に取り付けられた上記スライドスイッチを操作するための操作ハンドルとを備え、操作ハンドルは、ベース又はカバーの内の何れか一方の側壁に沿ってスライド自在に配置されるハンドル本体と、ハンドル本体の一方の端部に設けられ側壁の先端縁に設けた係止部に引掛係止される引掛部と、ハンドル本体の一方の面に形成され側壁に貫設した窓孔内に挿入される操作部と、ハンドル本体の他方の面に突設され切替スイッチの操作摘みを保持する保持部とを備え、ハンドル本体の操作部を窓孔内に挿入した状態でハンドル本体の他方の端部と係止する係止手段を、ベース又はカバーの内の上記窓孔を形成した側の底壁と一体に形成して成ることを特徴とする。
【００１１】
請求項３の発明では、請求項１又は請求項２の何れかの発明において、上記電気機器は、通話のためのマイク及びスピーカを具備したインターホン装置からなり、ベース又はカバーの内の何れか一方の側壁に隣接して壁体を設け、当該壁体と側壁との間に挿入されたスピーカを側壁に押し付ける保持ばねを設けて成ることを特徴とする。
【００１２】
請求項４の発明では、請求項１又は請求項２の何れかの発明において、上記電気機器は、通話のためのマイク及びスピーカを具備したインターホン装置からなり、ベース又はカバーの内の何れか一方の側壁に対向配置されたスピーカを、側壁に押し付ける付勢手段をベース又はカバーの内のスピーカが配置された側と一体に形成して成ることを特徴とする。
【００１３】
請求項５の発明では、請求項１又は請求項２の何れかの発明において、上記ベースは壁材のような造営材に取り付けられ、ベース又はカバーの内の一方に、撓ませることで対向する部材との間の隙間が広げられる弾性引掛部を設け、対向する部材と弾性引掛部との間の隙間を通してベース又はカバーの内の他方に取り付けられた輪状の吊り紐を挿入し、対向する部材と弾性引掛部との間で吊り紐を引っ掛けて成ることを特徴とする。
【００１４】
請求項６の発明では、請求項５の発明において、上記弾性引掛部を複数設け、複数本の吊り紐でベースとカバーとを連結したことを特徴とする。
【００１５】
請求項７の発明では、請求項１又は請求項２の何れかの発明において、上記ベースは壁材のような造営材に取り付けられ、取付状態で下側となるベースの部位に、カバーに設けた引掛部と引掛係止する係止部を設けるとともに、取付状態で上側となるベースの部位に、カバーに設けた被嵌合部と嵌合する嵌合部を設けて成ることを特徴とする。
【００１６】
【発明の実施の形態】
以下では本発明を集合住宅の各戸に設置されるインターホン装置に適用した一実施形態について図１〜図２２を参照して説明する。尚、以下の説明では、特にことわりがなければ、図４の向きにおいて上下左右の方向を規定し、また図４における正面を前面という。したがって、図３における右端は後端になる。
【００１７】
図４はインターホン装置の外観斜視図であり、インターホン装置の器体１は、絶縁性を有する合成樹脂により前面が開口した略箱状に形成され、壁材のような造営材に固定されるベース２と、絶縁性を有する合成樹脂により後面が開口した略箱状に形成され、ベース２の開口を覆うようにしてベース２の前面に被着されるカバー３とを結合して構成される。
【００１８】
ここで、図５〜図７に示すように、造営材に取り付けた状態で下側となるベース２の部位、例えばベース２の下側壁の開口縁略中央には上側に突出する係止部としての引掛係止片４成され、左右の側壁の開口縁には内側に突出する係止爪５，５がそれぞれ突設されている。また、取付状態において上側となるベース２の部位、例えばベース２の上側壁の左右両側部には嵌合部たる嵌合凹部６，６が形成されている。一方、カバー３には、ベース２の引掛係止片４と引掛係止する引掛部としての引掛溝７が下側壁に設けられ、ベース２の係止爪５，５とそれぞれ対向する部位に係止爪５が係止する係止穴８ａを有するリブ８が設けられており、ベース２の嵌合凹部６，６とそれぞれ対向する部位には嵌合凹部６と嵌合する被嵌合部としての嵌合爪９が突設されている。
【００１９】
而して、ベース２とカバー３とを結合する際には、図６及び図７に示すようにカバー３の引掛溝７をベース２の引掛係止片４に斜め上側から差し込んで、引掛溝７を引掛係止片４に引っ掛けた後、カバー３の上部をベース２側に押し込むと、リブ８の係止穴８ａに係止爪５が係止するとともに、嵌合爪９が嵌合凹部６と係止して、ベース２とカバー３とが結合されるようになっている。ここで、カバー３をベース２に嵌め込む際に、カバー３をベース２に対してスライドさせるような構造の場合、嵌め込み時に部品が干渉するのを防止するために、ベース２又はカバー３の内側にそれぞれ取り付けられた部品が開口面から外側へ突出しないように配置する必要があるが、本実施形態では取付状態で下側となるベース２の部位に設けた引掛係止片４にカバー３の引掛溝７を斜め上側から差し込んで、引掛溝７を引掛係止片４に引っ掛けた後、カバー３の上側の部位をベース２側に押し込むことによって、ベース２の嵌合凹部６とカバー３の嵌合爪９とを嵌合させているので、ベース２又はカバー３の内側にそれぞれ取り付けられた部品がベース２又はカバー３の開口面から外側に突出していたとしても、ベース２とカバー３とを容易に結合することができる。
【００２０】
また、器体１には、通話のためのスピーカ２０及びマイク（図示せず）と、ロビーインターホン或いはドアホン子器のテレビカメラで撮像された映像を表示するモニターテレビ１０と、インターホン通話のための回路を含む電気回路の電気部品が実装された回路基板１１などが収納されている。カバー３の前面にはモニターテレビ１０が左上に配置され、通話釦１２が下部中央に設けられている。また、カバー３の前面には、カバー３を貫通して音孔３ａが設けられており、この音孔３ａに臨むようにしてマイクが納装されている。また、ベース２の下側の側面の右端には複数個の音孔２ｃが貫設されており、これらの音孔２ｃに臨むようにしてスピーカ２０が納装されている。
【００２１】
上述の回路基板１１はベース２に取り付けられており、この回路基板１１には電気回路の動作を切り替えるための２個の切替スイッチＳＷ１，ＳＷ２が実装されている。切替スイッチＳＷ１，ＳＷ２はスライドスイッチからなり、ベース２の下側の側面に対向して並べて配置されており、切替スイッチＳＷ１，ＳＷ２の操作摘み１４をそれぞれ操作するための２個の操作ハンドル１３がベース２の下側の側壁にスライド自在に取り付けられている。
【００２２】
操作ハンドル１３は樹脂成型品からなり、直方体状の操作部１３ａと、操作部１３ａの前面に突設された操作突起１３ｂと、操作部１３ａの後端縁から側方に突出する鍔部１３ｃと、操作部１３ａの後面から後方に突出して操作摘み１４を両側から挟持する一対の挟持片１３ｄ，１３ｄ（保持部）とで構成され、ベース２の下側壁に設けた長円状の窓孔２ａから操作部１３ａを露出させた状態で取り付けられる。すなわち、ベース２の窓孔２ａ内に操作ハンドル１３の操作部１３ａを挿入して、操作突起１２ｂを露出させるとともに、一対の挟持片１３ｄの間に操作摘み１４を挟持させた状態で、一対の挟持片１３ｄを切欠部１６ａ内に挿通させるようにして、ベース２の底壁から立設されたリブ１５ａ〜１５ｃと操作部１３ａ背面との間に抜け止め板１６（抜止部材）を挿入して、抜け止め板１６を固定すると、抜け止め板１６と窓孔２ａの周縁部との間で鍔部１３ｂが挟持され、操作ハンドル１３が左右方向にスライド自在に保持されるのである。このように、２個の操作ハンドル１３は抜け止め板１６によってベース２に保持されているから、ベース２とカバー３とを分離したとしても、操作ハンドル１３が脱落することはなく、組立作業の作業性が向上する。
【００２３】
なお、本実施形態では２個の操作ハンドル１３を抜け止め板１６で保持する構造となっているが、図８〜図１０に示すような構造を有する操作ハンドル１８も考えられる。この操作ハンドル１８は合成樹脂成型品であって、ベース２の側壁に沿ってスライド自在に取り付けられる矩形板状のハンドル本体１８ａを有し、ハンドル本体１８ａにおけるベース２の側壁との対向面には窓孔２ａ内に挿入される操作突起１８ｂが突設され、反対側の面には切替スイッチＳＷ１，ＳＷ２の操作摘み１４を挟持する一対の挟持片１８ｃ（保持部）が突設されている。また、ハンドル本体１８ａの前端縁からは下方に突出して、ベース２の側壁に設けた引掛溝２ｂと引掛係止する断面Ｌ形の引掛片１８ｄが連続一体に突設されている。また、ベース２の底壁には、一端（固定端）がベース２に片持ち支持されるとともに、他端（自由端）がハンドル本体１８ａの後端部と係止する係止ばね片１７（係止手段）が、ベース２と一体に形成されている。そして、この操作ハンドル１８をベース２に取り付ける際には、図９に示すようにハンドル本体１８ａの前端部（図９中の上端部）をベース２の側壁側に傾けた状態で、ハンドル本体１８ａの引掛片１８ｄを引掛溝２ｂに引っ掛けた後に、ハンドル本体１８ａの下端部をベース２の側壁側に押し込むと、ベース２の底壁に設けた係止ばね片１７がハンドル本体１８ａによって図中下側に撓められて、ベース２の側壁と係止ばね片１７との間に操作ハンドル１８が挿入される。この時、操作ハンドル１８の操作突起１８ｂが窓孔２ａ内に挿入されて、窓孔２ａの開口縁と係止するとともに、ハンドル本体１８ａの下縁が係止ばね片１７と係止することで、操作ハンドル１８の抜けが防止され、左右方向においてスライド自在に保持されるのである。したがって、ベース２とカバー３とを分離したとしても操作ハンドル１８が脱落することはなく、組立作業の作業性が向上する。また、係止ばね片１７はベース２の底壁と一体に形成しているので、部品点数が増えることも無い。尚、ハンドル本体１８ａを取り付ける際には、係止ばね片１７の弾性と係止ばね片１７の表面に設けたテーパ１７ａとで、ハンドル本体１８ａの取付がスムーズに行えるようになっている。
【００２４】
次に、ベース２にスピーカ２０を取り付ける構造について図１１〜図１５を参照して説明する。ベース２の下側壁の右端部には、側壁を貫通する複数個の音孔２ｃが貫設されており、音孔２ｃにコーン部を対向させるようにしてスピーカ２０が配置される。また、ベース２の底壁からはスピーカ２０の背面及び側面を覆うコ字形の壁体１９が立設されており、ベース２の下側壁と壁体１９とで囲まれる空間にスピーカ２０と、スピーカ２０の脱落を防止する保持ばね２１とが納装される。なお、スピーカ２０の直径はベース２の下側壁の高さ寸法よりも大きいため、スピーカ２０が対向する下側壁の部位には前方に突出する張出部２ｄが形成されており、カバー３には張出部２ｄを逃がすための切欠部３ｂが形成されている。
【００２５】
保持ばね２１は、例えばステンレス鋼などの弾性を有する線材に曲げ加工を施して形成され、スピーカ２０の背面側に突出する円盤状のコイル部２０ａを屈曲部に引っ掛けるＵ字状の引掛部２１ａと、引掛部２１ａの両端部から逆方向にそれぞれ折り返されたＬ字状の脚部２１ｂ，２１ｂとで構成される。両脚部２１ｂ，２１ｂは同一平面内に配置され、両脚部２１ｂ，２１ｂに対して引掛部２１ａは斜めに傾斜している。而して、保持バネ２１の引掛部２１ａにスピーカ２０のコイル部２０ａを引っ掛けた状態で、スピーカ２０と保持バネ２１とを、ベース２の下側壁と壁体１９との間の空間に挿入すると、両脚部２１ｂの横棒が壁体１９の前端縁に突設された爪１９ａと係止し、保持ばね２１によってスピーカ２０の脱落が防止されるとともに、引掛部２１ａによってスピーカ２０がベース２の下側壁に弾接される。而して、ベース２とカバー３とを分離した状態でもスピーカ２０が脱落することはなく、組立作業がやりやすいという利点があり、またスピーカ２０が下側壁に弾接されているので、音量及び音質が向上するという利点もある。
【００２６】
なお、壁体１９のコイル部２０ａと対向する部位には、左右両側が前後方向に沿って走るスリット１９ｄ，１９ｄによって、壁体１９の他の部位と分離された弾接片１９ｂが形成されており、図１６に示すように、保持バネ２１を無くして、付勢手段たる弾接片１９ｂによってスピーカ２０をベース２の下側壁に押し付けるとともに、弾接片１９ｂの先端に設けた爪１９ｃをコイル部２０ａに係止させることで、スピーカ２０の抜けを防止するようにしても良い。ここで、スピーカ２０を取り付ける際は、壁体１９及び弾接片１９ｂの弾性と爪１９ａ，１９ｃの先端に設けたテーパとで、スピーカ２０を容易に挿入することができるようになっている。また、スピーカ２０の配線２０ｂはスリット１９ｄに挿入されて、位置決めされるようになっている。
【００２７】
ところで、ベース２は例えば壁材のような造営材に固定されるのであるが、施工後に点検などのためにカバー３を取り外すと、カバー３が落下してしまう虞がある。そこで、本実施形態では、図１７〜図１９に示すようにベース２の左端の上下の位置に吊り紐２２をそれぞれ引っ掛ける弾性引掛部を設け、２本の吊り紐２２，２２を介してカバー３をベース２に連結している。吊り紐２２は輪状であって、カバー３にねじ止めされた楕円形の連結片２３の孔２３ａに挿通されている。
【００２８】
一方、ベース２の左上角部には、図１８（ａ）（ｂ）に示すように、Ｌ字形であって片方の片がベース２の側壁に連結されるとともに他方の片が上側に突出するリブ２４をベース２の底壁から立設し、リブ２４の他方の片の前端部から上側に突出する撓み片２４ａを一体に形成しており、ベース２の上側壁には、撓み片２４ａよりも後方の位置に板状のリブ２５を突設してある。同様に、ベース２の左下角部には、図１９（ａ）（ｂ）に示すように、Ｌ字形であって片方の片がベース２の側壁に連結されるとともに他方の片が下側に突出するリブ２６を底壁から立設してあり、ベース２の下側壁からは先端部がリブ２６の他方の片と対向するＬ字形の撓み片２７を突設してある。
【００２９】
而して、弾性引掛部たる撓み片２４ａ，２７を撓ませることで、２本の吊り紐２２，２２を、それぞれ、撓み片２４ａとリブ２５との間の隙間、撓み片２７とリブ２６との間の隙間に入れ込んだり、外したりすることができ、壁面に固定されたベース２から２本の吊り紐２２，２２を介してカバー３を吊り下げることができ、カバー３を外した際にカバー３が落下するのを防止できる。
【００３０】
このように、本実施形態ではベース２の左側の上下の位置に吊り紐２２，２２を引っ掛ける引掛部を設け、２本の吊り紐２２，２２を介してカバー３をベース２から吊り下げているので、カバー３を外した際にカバー３が脱落するのを防止でき、またカバー３を２本の吊り紐２２，２２で吊り下げているので、１本の吊り紐２２で吊り下げる場合に比べて、カバー３の吊り下げ状態が安定する。
【００３１】
尚、上述の実施形態ではリブ２５，２６の片方の片と撓み片２４ａ，２７とを同じ平面内に配置し、撓み片２４ａ，２７を厚み方向に撓ませることで、撓み片２４ａ，２７とリブ２５，２６との間の隙間を広げて吊り紐２２，２２を押し込んでいるが、図２１（ａ）（ｂ）に示すように、リブ２６の代わりに、撓み片２７の先端部と対向し、厚み方向が撓み片２７の厚み方向と略直交するように配置される矩形板状の撓み片２８をベース２の底壁から立設し、撓み片２８を厚み方向に撓ませることで、撓み片２８と撓み片２７との間の隙間を広げて吊り紐２２を入れ込むようにしても良い。
【００３２】
また、上述の実施形態ではベース２の左側の上下の部位に吊り紐２２，２２を引っ掛ける引掛部を設けているが、図２０に示すように、ベース２の右下角部に吊り紐２２を引っ掛ける引掛部を設けて、ベース２の下側の左右に設けた引掛部に２本の吊り紐２２，２２を引っ掛けて、カバー３をベース２から吊り下げるようにしても良い。図２２（ａ）（ｂ）はベース２の右下角部に設けた引掛部を示しており、ベース２の下側壁に側面視がＬ字形のリブ２９を突設するとともに、リブ２９の先端部と対向し、厚み方向がリブ２９の厚み方向と略直交するように配置される矩形板状の撓み片３０をベース２の底壁から立設し、撓み片３０を厚み方向に撓ませることで、リブ２９の先端部と撓み片３０との間の隙間を広げて吊り紐２２を押し込むことができるようになっている。
【００３３】
【発明の効果】
上述のように、請求項１の発明は、電気回路の動作を切り替えるためのスライドスイッチを少なくとも含む電気部品が実装された回路基板と、前面が開口した略箱状の樹脂製のベース及び後面が開口した略箱状であってベースの開口を塞ぐようにしてベースの前面に被着される樹脂製のカバーからなり、内部に回路基板を収納する器体と、器体の表面に少なくとも一部を露出させた状態で器体にスライド自在に取り付けられた上記スライドスイッチを操作するための操作ハンドルとを備え、操作ハンドルは、ベース又はカバーの内の何れか一方の表面に開口する窓孔から前面が露出し、窓孔内にスライド自在に配置される操作部と、操作部の後面から側方に突出して窓孔の縁と係止する鍔部と、操作部の後面から後方に突出して切替スイッチの操作摘みを保持する保持部とを備えており、操作ハンドルの保持部を挿通する切欠部を有し、ベース又はカバーの内の上記窓孔を形成した側に固定されて、窓孔の周縁部との間で操作ハンドルの鍔部を挟持する抜け止め部材を設けて成ることを特徴とし、窓孔内に操作部を挿入するとともに、保持部に切替スイッチの操作摘みを保持させた状態で、保持部が切欠部に挿通された抜け止め部材を固定することによって、操作ハンドルの鍔部を窓孔の周縁部と抜け止め部材との間で挟持しているので、カバーとベースとを分離した状態でも操作ハンドルが脱落することはなく、組立作業がやりやすいという効果がある。
【００３４】
請求項２の発明は、電気回路の動作を切り替えるためのスライドスイッチを少なくとも含む電気部品が実装された回路基板と、前面が開口した略箱状の樹脂製のベース及び後面が開口した略箱状であってベースの開口を塞ぐようにしてベースの前面に被着される樹脂製のカバーからなり、内部に回路基板を収納する器体と、器体の表面に少なくとも一部を露出させた状態で器体にスライド自在に取り付けられた上記スライドスイッチを操作するための操作ハンドルとを備え、操作ハンドルは、ベース又はカバーの内の何れか一方の側壁に沿ってスライド自在に配置されるハンドル本体と、ハンドル本体の一方の端部に設けられ側壁の先端縁に設けた係止部に引掛係止される引掛部と、ハンドル本体の一方の面に形成され側壁に貫設した窓孔内に挿入される操作部と、ハンドル本体の他方の面に突設され切替スイッチの操作摘みを保持する保持部とを備え、ハンドル本体の操作部を窓孔内に挿入した状態でハンドル本体の他方の端部と係止する係止手段を、ベース又はカバーの内の上記窓孔を形成した側の底壁と一体に形成して成ることを特徴とし、ハンドル本体の一方の端部に設けた引掛部を側壁の先端縁に設けた係止部に引掛係止させるとともに、側壁に貫設した窓孔内に操作部を挿入した状態で、ハンドル本体の他方の端部を係止手段により係止させることで、操作ハンドルが側壁に沿ってスライド自在に取り付けられるので、カバーとベースとを分離した状態でも操作ハンドルが脱落することはなく、組立作業がやりやすいという効果があり、且つ係止手段はベース又はカバーの内の窓孔を形成した側の底壁と一体に形成しているので、部品点数が増えることも無い。
【００３５】
請求項３の発明は、請求項１又は請求項２の何れかの発明において、上記電気機器は、通話のためのマイク及びスピーカを具備したインターホン装置からなり、ベース又はカバーの内の何れか一方の側壁に隣接して壁体を設け、当該壁体と側壁との間に挿入されたスピーカを側壁に押し付ける保持ばねを設けて成ることを特徴とし、請求項１又は２の発明の効果に加えて、保持ばねによりスピーカを側壁に押し付けることで、スピーカをベース又はカバーの内の何れかに保持させることができ、ベースとカバーとを分離した状態でもスピーカが脱落することはなく、組立作業がやりやすいという効果がある。
【００３６】
請求項４の発明は、請求項１又は請求項２の何れかの発明において、上記電気機器は、通話のためのマイク及びスピーカを具備したインターホン装置からなり、ベース又はカバーの内の何れか一方の側壁に対向配置されたスピーカを、側壁に押し付ける付勢手段をベース又はカバーの内のスピーカが配置された側と一体に形成して成ることを特徴とし、請求項１又は２の発明の効果に加えて、ベース又はカバーの内のスピーカが配置された側と一体に形成された付勢手段によりスピーカを側壁に押し付けることで、スピーカをベース又はカバーの内の何れかに保持させることができ、ベースとカバーとを分離した状態でもスピーカが脱落することはなく、組立作業がやりやすいという効果がある。
【００３７】
請求項５の発明は、請求項１又は請求項２の何れかの発明において、上記ベースは壁材のような造営材に取り付けられ、ベース又はカバーの内の一方に、撓ませることで対向する部材との間の隙間が広げられる弾性引掛部を設け、対向する部材と弾性引掛部との間の隙間を通してベース又はカバーの内の他方に取り付けられた輪状の吊り紐を挿入し、対向する部材と弾性引掛部との間で吊り紐を引っ掛けて成ることを特徴とし、請求項１又は２の発明の効果に加えて、弾性引掛部を撓ませることで、弾性引掛部と対向する部材との間の隙間を広げて吊り紐を挿入し、挿入した吊り紐を弾性引掛部で引っ掛けているので、吊り紐の取り付けを容易に行うことができ、吊り紐を介して造営材に取り付けられたベースからカバーを吊り下げることで、カバーを外した際にカバーが落下するのを防止できる。
【００３８】
請求項６の発明は、請求項５の発明において、上記弾性引掛部を複数設け、複数本の吊り紐でベースとカバーとを連結したことを特徴とし、造営材に取り付けられたベースから複数本の吊り紐でカバーを吊り下げているので、１本の吊り紐で吊り下げる場合に比べて、吊り下げ状態を安定させることができる。
【００３９】
請求項７の発明は、請求項１又は請求項２の何れかの発明において、上記ベースは壁材のような造営材に取り付けられ、取付状態で下側となるベースの部位に、カバーに設けた引掛部と引掛係止する係止部を設けるとともに、取付状態で上側となるベースの部位に、カバーに設けた被嵌合部と嵌合する嵌合部を設けて成ることを特徴とし、請求項１又は２の発明の効果に加えて、カバーの下側に設けた引掛部をベースの係止部に引っ掛けた後に、カバーの上側を押し込むことで、カバーの被嵌合部がベースの嵌合部と嵌合するので、ベース又はカバーの内側にそれぞれ取り付けられた部品がベース又はカバーの開口面から外側に突出していたとしても、ベースとカバーとを容易に結合することができる。
【図面の簡単な説明】
【図１】本実施形態の要部分解斜視図である。
【図２】（ａ）（ｂ）は同上のカバーを外した状態の斜視図である。
【図３】同上の要部断面図である。
【図４】同上の外観図である。
【図５】同上の分解斜視図である。
【図６】同上の組立途中の状態を下側から見た斜視図である。
【図７】同上の組立途中の状態を上側から見た斜視図である。
【図８】同上の別の操作ハンドルを取り付けた状態の要部拡大斜視図である。
【図９】同上の別の操作ハンドルを取り付ける途中の状態の説明図である。
【図１０】同上の別の操作ハンドルを取り付けた状態の要部断面図である。
【図１１】同上の要部拡大斜視図である。
【図１２】同上の要部拡大斜視図である。
【図１３】同上の要部分解斜視図である。
【図１４】同上の要部分解斜視図である。
【図１５】同上の要部断面図である。
【図１６】同上の要部断面図である。
【図１７】同上の分解斜視図である。
【図１８】同上を示し、（ａ）は要部拡大斜視図、（ｂ）は要部断面図である。
【図１９】同上を示し、（ａ）は要部拡大斜視図、（ｂ）は要部断面図である。
【図２０】同上の分解斜視図である。
【図２１】同上を示し、（ａ）は要部拡大斜視図、（ｂ）は要部断面図である。
【図２２】同上を示し、（ａ）は要部拡大斜視図、（ｂ）は要部断面図である。
【図２３】従来の電気機器を示し、（ａ）は要部拡大斜視図、（ｂ）は要部分解斜視図である。
【図２４】
同上の要部断面図である。
【符号の説明】
２　　ベース
２ａ　長孔
１１　回路基板
１３　操作ハンドル
１３ｃ　鍔部
１３ｄ　挟持片
１５ａ　リブ
１６　抜け止め板
ＳＷ１，ＳＷ２　切替スイッチ
【図１】
2004112064.tif 000003
【図２】
2004112064.tif 000004
【図３】
2004112064.tif 000005
【図４】
2004112064.tif 000006
【図５】
2004112064.tif 000007
【図６】
2004112064.tif 000008
【図７】
2004112064.tif 000009
【図８】
2004112064.tif 000010
【図９】
2004112064.tif 000011
【図１０】
2004112064.tif 000012
【図１１】
2004112064.tif 000013
【図１２】
2004112064.tif 000014
【図１３】
2004112064.tif 000015
【図１４】
2004112064.tif 000016
【図１５】
2004112064.tif 000017
【図１６】
2004112064.tif 000018
【図１７】
2004112064.tif 000019
【図１８】
2004112064.tif 000020
【図１９】
2004112064.tif 000021
【図２０】
2004112064.tif 000022
【図２１】
2004112064.tif 000023
【図２２】
2004112064.tif 000024
【図２３】
2004112064.tif 000025
【図２４】
2004112064.tif 000026